(57)【特許請求の範囲】
【請求項１】
所定の識別子が付与されパケット単位で送信される文字情報を含むディジタル放送信号を受信する受信手段と、
前記受信手段で受信した前記ディジタル放送信号から、前記所定の識別子に基づき前記文字情報を抽出する文字情報抽出手段と、
外部入力端子を介して入来する映像音声情報または再生部から再生中の映像音声情報に、前記文字情報抽出手段で抽出した前記文字情報を重畳して出力する重畳出力部と、
前記文字情報抽出手段で抽出した文字情報を保持する保持手段と、
を備え、
前記受信手段と前記文字情報抽出手段とが動作状態の時に、前記重畳出力部が動作停止状態の期間に前記文字情報抽出手段が抽出した文字情報を前記保持手段が保持し、前記重畳出力部が動作停止状態から動作状態へと変化した時に、前記保持手段は、保持している前記文字情報を前記映像音声情報に重畳することを特徴とする放送信号受信装置。
【請求項２】
前記保持手段は、前記文字情報抽出手段で抽出した文字情報と共に、この文字情報を抽出した際の時刻である時刻情報を保持し、この保持した時刻情報を用いて現在時刻から遡って所定の時間を超えた文字情報の映像音声情報への重畳を防止させることを特徴とする請求項１記載の放送信号受信装置。
【請求項３】
前記保持手段は、前記文字情報抽出手段で抽出した文字情報と共に、この文字情報を抽出した際の時刻である時刻情報を保持し、前記文字情報と前記時刻情報とを前記映像音声情報に重畳させることを特徴とする請求項１又は２記載の放送信号受信装置。
【発明の詳細な説明】
【０００１】
【発明の属する技術分野】
本発明は、テレビジョン放送の視聴中でなくても、ニュース速報などの緊急情報を放送受信者に知らせることができる放送信号受信装置に関する。
【０００２】
【従来の技術】
これまで、アナログテレビジョン放送を介して放送受信者に地震や火災等の災害情報やその他の緊急情報（以下、これらを総称して、緊急情報と記す）を伝える場合、放送局がこれらの緊急情報に関する文字情報をテレビジョン信号にスーパーインポーズして送信し、放送受信者は画面上に表示される文字情報を確認することにより、災害の発生や緊急事態の発生に関する情報を得ていた。
【０００３】
【発明が解決しようとする課題】
しかし、このようにテレビジョン信号に文字情報をスーパーインポーズして送信する方法では、放送受信者がこのテレビジョン放送を視聴中でない限り、この緊急情報は伝わらない。例えば、ビデオテープレコーダで再生中の映画を視聴していたり、また、文字情報が重畳されているテレビジョン放送とは異なる他のチャンネルの放送を視聴している場合には、放送受信者はこの緊急情報を見逃してしまうといった問題があった。
【０００４】
一方、ディジタルテレビジョン放送では、ニュース速報は、データ放送として送信されるが、この場合、データ放送が行われているチャンネルを受信していない限り、緊急情報を知ることができない。従って、アナログテレビジョン放送の受信時と同様に、ビデオテープレコーダ等による映像を視聴中である場合には、この緊急情報を見逃してしまうといった問題があった。
【０００５】
本発明は、以上の点に鑑みなされたものであり、記録媒体から再生中の番組を視聴している状態等、現在放送されているテレビジョン放送以外の映像情報を視聴している場合であっても、ニュース速報等の緊急情報を視聴者に知らせることができる放送信号受信装置を提供することを目的とする。
【０００６】
【問題を解決するための手段】
以上の課題を解決するために、本発明に係る放送信号受信装置は、
所定の識別子が付与されパケット単位で送信される文字情報を含むディジタル放送信号を受信する受信手段と、
前記受信手段で受信した前記ディジタル放送信号から、前記所定の識別子に基づき前記文字情報を抽出する文字情報抽出手段と、
外部入力端子を介して入来する映像音声情報または再生部から再生中の映像音声情報に、前記文字情報抽出手段で抽出した前記文字情報を重畳して出力する重畳出力部と、
前記文字情報抽出手段で抽出した文字情報を保持する保持手段と、
を備え、
前記受信手段と前記文字情報抽出手段とが動作状態の時に、前記重畳出力部が動作停止状態の期間に前記文字情報抽出手段が抽出した文字情報を前記保持手段が保持し、前記重畳出力部が動作停止状態から動作状態へと変化した時に、前記保持手段は、保持している前記文字情報を前記映像音声情報に重畳することを特徴とするものである。
【０００９】
また、前記保持手段は、前記文字情報抽出手段で抽出した文字情報と共に、この文字情報を抽出した際の時刻である時刻情報を保持し、この保持した時刻情報を用いて現在時刻から遡って所定の時間を超えた文字情報の映像音声情報への重畳を防止させることを特徴とするものである。
また、前記保持手段は、前記文字情報抽出手段で抽出した文字情報と共に、この文字情報を抽出した際の時刻である時刻情報を保持し、前記文字情報と前記時刻情報とを前記映像音声情報に重畳させることを特徴とするものである。
【００１０】
【発明の実施の形態】
以下、本発明の実施の形態につき、好ましい実施例により詳細に説明する。
図１は、本発明の実施例に係る放送信号受信装置を説明するためのブロック図であり、ここでは、本放送信号受信装置をディジタル放送信号の記録再生装置に適用した例を示す。
【００１１】
同図において、１は送信されたディジタルテレビジョン放送の放送信号が入来し、これを復調したＭＰＥＧトランスポートストリーム（以下、ＭＰＥＧ−ＴＳと記す）を出力するディジタル放送受信部、２はディジタル放送受信部１の出力するＭＰＥＧ−ＴＳと、図示しないインターフェース部を介して外部機器から入来するＭＰＥＧ−ＴＳと、後述する記録再生部から再生されたＭＰＥＧ−ＴＳとの何れか１つを選択して出力する選択出力部である。
【００１２】
また、３は選択出力部２から選択出力されるＭＰＥＧ−ＴＳから所望の番組のパケットのみを抽出して出力する番組抽出部、４は番組抽出部３で抽出した所望の番組のパケットのみからなるＭＰＥＧ−ＴＳを記録する一方、記録媒体上に記録されるＭＰＥＧ−ＴＳを再生し、この再生信号を選択出力部２の入力側に供給する記録再生部である。
【００１３】
また、５はディジタル放送受信部１の出力するＭＰＥＧ−ＴＳから緊急情報に関するパケットのみを抽出して出力する情報抽出部、６は情報抽出部で抽出した緊急情報に関するパケットと番組抽出部３で抽出した所望の番組に関するパケットとを再構成して出力する再構成部６である。
【００１４】
また、７は情報抽出部５で抽出した緊急情報に関するパケットを復号化し、これを文字情報として出力する映像化部、８は番組抽出部３で抽出した所望の番組に関するパケットを復号化して、これを番組信号として出力するデコーダ、９はデコーダ８が出力する番組信号の映像情報に映像化部７が出力する文字情報を重畳して出力する重畳部、１０は重畳部９が出力する番組信号をアナログ信号に変換して出力するＤ／Ａ変換部である。
【００１５】
以下、図１で示した放送信号受信装置の動作を説明する。
ディジタルテレビジョン放送の放送信号が入来すると、ディジタル放送受信部１は、これを復調したＭＰＥＧ−ＴＳを情報抽出部５と選択出力部２とに出力する。ここで、図１で示す放送信号受信装置は、受信した信号または外部機器からの信号を外部に出力すると共にこれを記録する記録モードと、受信した信号を単に外部に出力する信号出力モードと、記録媒体に記録した信号を再生して外部に出力する再生モードとを備えており、記録モードまたは信号出力モードでは、選択出力部２はディジタル放送受信部１からのＭＰＥＧ−ＴＳを番組抽出部３に選択出力する。
【００１６】
従って、放送信号受信装置が記録モードまたは信号出力モードである場合には、番組抽出部３は、受信したディジタルテレビジョン放送のＭＰＥＧ−ＴＳから所望の番組に関するパケットのみを抽出してこれを出力する。なお、番組抽出部３が所望の番組に関するパケットを抽出する際は、まず、ＭＰＥＧ−ＴＳにおける所定のＰＩＤ（Packet Identification）を有するＰＡＴ（Program Association Table）を探し出す。
【００１７】
そして、このＰＡＴを探し出すと、ＰＡＴの中には複数の番組に関するＰＭＴ（Program Map Table）のＰＩＤが格納されており、更にこのＰＩＤを基に所望の番組のＰＭＴを得ると、ＰＭＴの中には、この番組の映像情報のＰＩＤと音声情報のＰＩＤと付加情報のＰＩＤとが格納されているため、ＰＡＴと所望の番組のＰＭＴとを得ることにより、所望の番組に関するパケットのみを抽出することが可能となる。デコーダ８は、このようにして抽出したパケットを復号化した番組信号を出力する。
【００１８】
一方、情報抽出部５は、ディジタル放送受信部１が出力するＭＰＥＧ−ＴＳのうち、緊急情報に関する所定のＰＩＤを有するパケットのみを抽出し、映像化部７は、この緊急情報に関するパケットを復号化して文字情報として出力する。
【００１９】
そして、重畳部９はデコーダ８の出力する番組信号の映像情報に、映像化部７が出力する文字情報を重畳し、このようにして得た番組信号をＤ／Ａ変換部１０に出力する。よって、Ｄ／Ａ変換部１０は、重畳部９の出力する文字情報が重畳された番組信号をアナログ信号に変換して、図示しないモニタ等の表示装置に出力する。
【００２０】
また、再構成部６は、番組抽出部３で抽出した所望の番組に関するパケットと情報抽出部５で抽出した緊急情報に関するパケットとを再構成し、再構成したＭＰＥＧ−ＴＳを、ディジタルの信号形態の番組信号として、図示しないモニタ等の表示装置に出力する。
【００２１】
以上のように、記録モード及び信号出力モードでは、緊急情報が重畳された番組信号をＤ／Ａ変換部１０から出力すると共に、再構成部６から所望の番組に関するパケットと緊急情報に関するパケットとをＭＰＥＧ−ＴＳとして出力するが、記録モードでは、これらの信号の出力と同時に、番組抽出部３で抽出した所望の番組のパケットを記録再生部４で記録する。
【００２２】
なお、このように、デコーダ８と記録再生部４とに同一のパケットを出力するのではなく、番組抽出部３で抽出した所望の番組に関するパケットをデコーダ８に出力し、所望の番組を含む複数の番組のパケットを記録再生部４と再構成部６とに出力するようにすれば、複数の番組を同時に記録再生部４で記録することが可能となる。また、このようにすれば、複数の番組と緊急情報とをＭＰＥＧ−ＴＳとして外部に出力することが可能となる。
【００２３】
次に、記録再生部４で記録したＭＰＥＧ−ＴＳを再生する再生モードでの動作について説明すると、選択出力部２は、記録再生部４から再生されたＭＰＥＧ−ＴＳを番組抽出部３に選択出力する。そして、番組抽出部３は、選択出力部２からのＭＰＥＧ−ＴＳをそのままデコーダ８及び再構成部６に出力し、デコーダ８は再生されたＭＰＥＧ−ＴＳを番組信号に復号化して出力する。なお、記録再生部４で再生したＭＰＥＧ−ＴＳに複数の番組のパケットが含まれている場合には、番組抽出部３で所望の番組に関するパケットのみがデコーダ８に出力され、再構成部６には、これと同一のパケットを出力しても、また、複数の番組のパケットを出力しても良い。
【００２４】
ここで、ディジタル放送信号受信部１は、再生モードであっても入来するディジタルテレビジョン放送の放送信号を受信し続けており、復調したＭＰＥＧ−ＴＳは情報抽出部５に供給されるため、緊急情報に関するパケットを受信した際には、このパケットを復号化した文字情報が映像化部７から重畳部９に出力される。
【００２５】
このように、図１で示す放送信号受信装置では、記録再生部４からＭＰＥＧ−ＴＳを再生する再生モード、また外部機器からのＭＰＥＧ−ＴＳを外部に出力する記録モードまたは信号出力モードであっても、これらの番組信号の映像情報にリアルタイムで送信された緊急情報に関する文字情報を重畳して出力するため、放送受信者がテレビジョン放送の視聴中でなくても緊急情報を得ることができる。
【００２６】
また、再構成部６は、番組抽出部３の出力する番組に関するパケットとリアルタイムで送信された緊急情報に関するパケットとを再構成したＭＰＥＧ−ＴＳを図示しないモニタ等の表示装置に出力する。
【００２７】
なお、以上に示した放送信号受信装置における記録再生部４をハードディスクドライブで構成すると共に、選択出力部２及び番組抽出部３で２つのＭＰＥＧ-ＴＳを同時に扱えるよう構成した場合、ディジタル放送受信部１で受信したＭＰＥＧ−ＴＳまたは外部機器からのＭＰＥＧ−ＴＳを記録再生部４で記録しながら、記録再生部４に記録されているＭＰＥＧ−ＴＳの再生を行うことができる。そして、このような場合でも、記録再生部４からのＭＰＥＧ−ＴＳの再生中または外部機器からのＭＰＥＧ−ＴＳを出力中に緊急情報に関するパケットを受信した際には、この緊急情報を視聴者に伝えることが可能となる。
【００２８】
次に、本発明に係る放送信号受信装置をディジタル放送信号の表示装置に適用した際の例について図２を用いて説明する。なお、同図において、図１と同一の構成については同一符号を付し、その説明を一部省略する。
【００２９】
図２において、１は送信されたディジタルテレビジョン放送の放送信号が入来し、これを復調したＭＰＥＧ−ＴＳを出力するディジタル放送受信部、２はディジタル放送受信部１の出力するＭＰＥＧ−ＴＳと、図示しないインターフェース部を介して外部機器から入来するＭＰＥＧ−ＴＳとの何れか１つを選択して出力する選択出力部、３は選択出力部２から選択出力されるＭＰＥＧ−ＴＳから所望の番組のパケットのみを抽出して出力する番組抽出部である。
【００３０】
また、５はディジタル放送受信部１の出力するＭＰＥＧ−ＴＳから緊急情報に関するパケットのみを抽出して出力する情報抽出部、７は情報抽出部５で抽出した緊急情報に関するパケットを復号化し、これを文字情報として出力する映像化部、８は番組抽出部３で抽出した所望の番組に関するパケットを復号化して、これを番組信号として出力するデコーダである。
【００３１】
また、１１は送信されたアナログテレビジョン放送の放送信号が入来し、これを復調した映像音声信号を出力するアナログ放送受信部、１２はアナログ放送受信部１１の出力する映像音声信号と、図示しないインターフェース部を介して外部機器から入来する映像音声信号との何れか１つを選択して出力する選択出力部、１３は選択出力部１２から選択出力される映像音声信号をディジタル信号に変換すると共に、所定の信号処理を施した番組信号を出力する信号処理部である。
【００３２】
また、１４はデコーダ８から出力する番組信号または信号処理部１３が出力する番組信号の何れか１つを選択して出力する選択出力部、９は選択出力部１４が出力する番組信号における映像情報に映像化部７が出力する文字情報を重畳して出力する重畳部、１０は重畳部９が出力する番組信号をアナログ信号に変換して出力するＤ／Ａ変換部、１５はＤ／Ａ変換部１０が出力するアナログ信号を画面表示するモニタである。
【００３３】
以下、図２で示した放送信号受信装置の動作を説明する。
ディジタルテレビジョン放送の放送信号が入来すると、ディジタル放送受信部１は、これを復調したＭＰＥＧ−ＴＳを情報抽出部５と選択出力部２とに出力する。
【００３４】
ここで、図２に示すディジタル放送信号受信装置は、受信したディジタルテレビジョン放送を視聴するディジタル放送視聴モードと、受信したアナログテレビジョン放送を視聴するアナログ放送視聴モードと、図示しないインターフェース部を介して外部機器から入来するディジタル信号形態のＭＰＥＧ−ＴＳを視聴するディジタル外部入力視聴モードと、図示しないインターフェース部を介して外部機器から入来するアナログ信号形態の映像音声信号を視聴するアナログ外部入力視聴モードとを備えている。
【００３５】
そして、ディジタル放送視聴モードでは、選択出力部２がディジタル放送受信部１からのＭＰＥＧ−ＴＳを番組抽出部３に選択出力すると共に、選択出力部１４がデコーダ８からの番組信号を重畳部９に選択出力する一方、アナログ放送視聴モードでは、選択出力部１２がアナログ放送受信部１１からの映像音声信号を信号処理部１３に選択出力すると共に、選択出力部１４が信号処理部１３からの番組信号を重畳部９に選択出力する。
【００３６】
また、ディジタル外部入力視聴モードでは、選択出力部２が外部機器からのＭＰＥＧ−ＴＳを番組抽出部３に選択出力すると共に、選択出力部１４がデコーダ８からの番組信号を重畳部９に選択出力する一方、アナログ外部入力視聴モードでは、選択出力部１２が外部機器からの映像音声信号を信号処理部１３に選択出力すると共に、選択出力部１４が信号処理部１３からの番組信号を重畳部９に選択出力する。
【００３７】
そして、放送信号受信装置がディジタル放送視聴モードまたはディジタル外部入力視聴モードである場合には、番組抽出部３は、受信したディジタルテレビジョン放送のＭＰＥＧ−ＴＳまたは外部機器からのＭＰＥＧ-ＴＳから所望の番組に関するパケットのみを抽出してこれを出力する。なお、番組抽出部３が所望の番組に関するパケットを抽出する際は、前述の如く、所定のＰＩＤを有するＰＡＴとＰＭＴを得ることにより、所望の番組に関するパケットのみを抽出する。また、デコーダ８は、このようにして抽出したパケットを復号化した番組信号を出力し、選択出力部１４は、デコーダ８からの番組信号を重畳部９に選択出力する。
【００３８】
ここで、情報抽出部５は、ディジタル放送視聴モード時のみならず、ディジタル外部入力視聴モード時も入来するディジタルテレビジョン放送の放送信号を受信しており、復調したＭＰＥＧ−ＴＳが情報抽出部５に供給されるため、緊急情報に関するパケットを受信した際には、このパケットを復号化した文字情報が映像化部７から重畳部９に出力される。
【００３９】
そして、重畳部９は、選択出力部１４の出力する番組信号の映像情報に、映像化部７が出力する文字情報を重畳し、このようにして得た番組信号をＤ／Ａ変換部１０に出力する。そして、Ｄ／Ａ変換部１０は、重畳部９の出力する文字情報が重畳された番組信号をモニタ部１５に出力して、文字情報が重畳された番組信号が画面表示される。
【００４０】
また、ディジタル放送信号受信装置がアナログ放送視聴モードまたはアナログ外部入力視聴モードである場合には、信号処理部１３は、受信したアナログテレビジョン放送の映像音声信号または外部機器からの映像音声信号を番組信号として出力し、選択出力部１４は、信号処理部１３からの番組信号を重畳部９に選択出力する。
【００４１】
そして、その際も情報抽出部５は入来するディジタルテレビジョン放送の放送信号を受信しており、復調したＭＰＥＧ−ＴＳが情報抽出部５に供給されるため、緊急情報に関するパケットを受信した際には、このパケットを復号化した文字情報が映像化部７から重畳部９に出力される。
【００４２】
従って、重畳部９は、選択出力部１４の出力する番組信号の映像情報に、映像化部７が出力する文字情報を重畳し、このようにして得た番組信号がモニタ部１５で画面表示される。
【００４３】
なお、以上に示した放送信号受信装置では、放送受信者がモニタ上で何らかの映像音声信号を視聴していない限り緊急情報を見逃すことになる。つまり、装置の電源がオフである場合には、緊急情報を見逃してしまう。そこで、装置の電源をオフとした場合でもディジタル放送受信部１と情報抽出部５は動作状態とさせ、更に、情報抽出部５で抽出した緊急情報に関するパケットを保持しておくためのメモリを情報抽出部５の内部に設ければ、電源がオフであることによる緊急情報の見逃しを防止できる。
【００４４】
即ち、装置の電源がオフの間に受信した緊急情報に関するパケットをメモリに保持させ、電源オン時にこの緊急情報を画面表示することで、装置の電源がオフの間に受信した緊急情報も確認することが可能となる。なお、その際、緊急情報受信時の時刻を併せて保持しておき、電源オン時に、緊急情報受信時の時刻と共に緊急情報の内容を表示すれば、例えば、時間の経過と共に新たな災害情報が送信されてくる場合でも、いつの時点での情報かを把握することができる。
【００４５】
また、受信時刻が現在時刻から遡って所定の時間を超えたパケット、つまり、時間的に古い緊急情報に関しては、自動的にメモリ上から削除されるよう構成すれば、メモリ容量を削減できるばかりでなく、古い緊急情報が表示されることによる混乱を防止できる。なお、このようにメモリを情報抽出部５の内部に設けずに、情報抽出部５とは別に設けても良いことは言うまでもない。
【００４６】
また、以上に示した放送信号受信装置では、番組信号の映像情報に文字情報を重畳した後に、この番組信号をＤ／Ａ変換した例を示したが、これに限らず、番組信号をＤ／Ａ変換した後に、文字情報を重畳するよう構成しても良いことは言うまでもない。
【００４７】
また、地震や火災等の災害情報だけでなく、宝くじの当選番号の発表やスポーツの勝敗結果等を緊急情報として扱い、これらの情報毎に異なるＰＩＤを設けておき、放送受信者が予め情報抽出部５に設定しておいたＰＩＤの情報のみが画面表示されるよう番組信号に文字情報を重畳させても構わない。
【００４８】
また、以上のように、放送受信者に文字情報により緊急情報を伝えるのではなく、音声情報により緊急情報を伝えるようにしても良い。つまり、外部入力端子から入来する音声情報又は再生中の音声情報に緊急情報として現在放送されている音声情報を多重して出力しても構わない。
【００４９】
【発明の効果】
本発明に係る放送信号受信装置によれば、外部入力端子からの映像音声情報または再生している映像音声情報の出力中に文字情報を受信すれば、この文字情報が映像音声情報に重畳されて出力されるため、ディジタル放送信号を介して送信される緊急情報を見逃すことなく、モニタ上で確認することが可能となる。
【００５０】
また、重畳出力部が動作停止状態である期間に抽出した文字情報を保持する保持手段を備え、重畳出力部が動作停止状態から動作状態へと変化した時に、保持手段で保持していた文字情報が映像音声情報に重畳されるため、装置の電源を常にオンにしておかなくても、この緊急情報を確認することが可能となる。
【００５１】
また、受信時刻が現在時刻から遡って所定の時間を超えた文字情報については、映像音声情報への重畳を防止させているため、時間的に古い文字情報を出力することによる使用者への混乱を防止できる。
【００５２】
【図面の簡単な説明】
【図１】本発明の実施例に係る放送信号受信装置を説明するためのブロック図である。
【図２】本発明の他の実施例に係る放送信号受信装置を説明するためのブロック図である。
【符号の説明】
１…ディジタル放送受信部
２、１２、１４…選択出力部
３…番組抽出部
４…記録再生部
５…情報抽出部
６…再構成部
７…映像化部
８…デコーダ
９…重畳部
１０…Ｄ／Ａ変換部
１１…アナログ放送受信部
１３…信号処理部
１５…モニタ
【図１】
0003736739.tif 000002
【図２】
0003736739.tif 000003